(57)【要約】【課題】簡単な構造で、多重反射の視覚効果が高い表示装置を提供する。【解決手段】表示装置１は、光源５と、光源５からの光を端面２ｃで受光し、入射した光を表面側に反射する反射面を有する複数の凹部６からなる表示部７が形成された透明な導光板２と、導光板２の表面側に配置されたハーフミラー板３と、導光板２の裏面側に配置されたミラー板４とを備え、導光板２内を進行して凹部６の反射面で反射した光源５からの光をハーフミラー板３とミラー板４との間で多重反射させることにより表示部７の多重像を表示する。【選択図】図１
2010002635.tif 000002
【特許請求の範囲】
【請求項１】
光源と、
前記光源からの光を一端面で受光し、前記一端面から入射した光を一方面側に反射する反射面を有する複数の凹部からなる表示部が形成された透明な導光板と、
前記導光板の前記一方面側に前記導光板と並列して配置され、入射する光の一部を反射して残りの光を透過させるハーフミラー板と、
前記導光板の他方面側に前記導光板と並列して配置され、前記導光板側から入射する光を全反射するミラー板と
を備えることを特徴とする表示装置。
【請求項２】
前記ハーフミラー板は、第１の透明板と、前記第１の透明板の一方面上の少なくとも一部に、平面視において前記表示部と重なる領域を有するように形成され、入射する光の一部を反射して残りの光を透過させるハーフミラー層とを有し、
前記ミラー板は、第２の透明板と、前記第２の透明板の一方面上の少なくとも一部に、平面視において前記ハーフミラー層および前記表示部と重なる領域を有するように形成され、前記導光板側から入射する光を全反射するミラー層とを有することを特徴とする請求項１に記載の表示装置。
【請求項３】
複数の光源と、
並列して複数の前記光源ごとに設けられ、対応する前記光源からの光を一端面で受光し、前記一端面から入射した光を一方面側に反射する反射面を有する複数の凹部からなる表示部がそれぞれ形成された複数の透明な導光板と、
複数の前記導光板のうち前記一方面側の最も外側に配置された導光板の前記一方面側に、複数の前記導光板と並列して配置され、入射する光の一部を反射して残りの光を透過させるハーフミラー板と、
複数の前記導光板の前記ハーフミラー板が配置された側とは反対側に、複数の前記導光板と並列して配置され、複数の前記導光板側から入射する光を全反射するミラー板と
を備えることを特徴とする表示装置。
【請求項４】
複数の前記光源は、互いに異なる色光を出射することを特徴とする請求項３に記載の表示装置。
【請求項５】
前記ハーフミラー板は、第１の透明板と、前記第１の透明板の一方面上の少なくとも一部に、平面視において少なくとも１つの前記導光板に形成された前記表示部と重なる領域を有するように形成され、入射する光の一部を反射して残りの光を透過させるハーフミラー層とを有し、
前記ミラー板は、第２の透明板と、前記第２の透明板の一方面上の少なくとも一部に、平面視において前記ハーフミラー層および少なくとも１つの前記導光板に形成された前記表示部と重なる領域を有するように形成され、複数の前記導光板側から入射する光を全反射するミラー層とを有することを特徴とする請求項３または４に記載の表示装置。
【請求項６】
前記ハーフミラー板および前記ミラー板の少なくともいずれか一方は、少なくとも一部が曲面状に形成されていることを特徴とする請求項１乃至５のいずれか１項に記載の表示装置。
【請求項７】
前記ハーフミラー板および前記ミラー板の少なくともいずれか一方は、少なくとも一部が前記導光板に対して傾斜した平面状に形成されていることを特徴とする請求項１乃至５のいずれか１項に記載の表示装置。
【請求項８】
光源と、
前記光源からの光を一端面で受光し、前記一端面から入射した光を一方面側に反射する反射面を有する複数の凹部からなる表示部が形成された透明な導光板と、
前記導光板の前記一方面側に前記導光板と並列して配置され、第１の透明板と、前記第１の透明板の一方面上の少なくとも一部に、平面視において前記表示部と重なる領域を有するように形成され、入射する光の一部を反射して残りの光を透過させる第１のハーフミラー層とを有する第１のハーフミラー板と、
前記導光板の前記一方面側に前記導光板と並列して配置され、第２の透明板と、前記第２の透明板の一方面上の少なくとも一部に、平面視において前記第１のハーフミラー層および前記表示部と重なる領域を有するように形成され、入射する光の一部を反射して残りの光を透過させる第２のハーフミラー層とを有する第２のハーフミラー板と
を備えることを特徴とする表示装置。
【請求項９】
複数の光源と、
並列して複数の前記光源ごとに設けられ、対応する前記光源からの光を一端面で受光し、前記一端面から入射した光を一方面側に反射する反射面を有する複数の凹部からなる表示部がそれぞれ形成された複数の透明な導光板と、
複数の前記導光板のうち前記一方面側の最も外側に配置された導光板の前記一方面側に、複数の前記導光板と並列して配置され、第１の透明板と、前記第１の透明板の一方面上の少なくとも一部に、平面視において少なくとも１つの前記導光板に形成された前記表示部と重なる領域を有するように形成され、入射する光の一部を反射して残りの光を透過させる第１のハーフミラー層とを有する第１のハーフミラー板と、
複数の前記導光板の前記第１のハーフミラー板が配置された側とは反対側に、複数の前記導光板と並列して配置され、第２の透明板と、前記第２の透明板の一方面上の少なくとも一部に、平面視において前記第１のハーフミラー層および少なくとも１つの前記導光板に形成された前記表示部と重なる領域を有するように形成され、入射する光の一部を反射して残りの光を透過させる第２のハーフミラー層とを有する第２のハーフミラー板と
を備えることを特徴とする表示装置。
【請求項１０】
複数の前記光源は、互いに異なる色光を出射することを特徴とする請求項９に記載の表示装置。
【請求項１１】
前記第１のハーフミラー板および前記第２のハーフミラー板の少なくともいずれか一方は、少なくとも一部が曲面状に形成されていることを特徴とする請求項８乃至１０のいずれか１項に記載の表示装置。
【請求項１２】
前記第１のハーフミラー板および前記第２のハーフミラー板の少なくともいずれか一方は、少なくとも一部が前記導光板に対して傾斜した平面状に形成されていることを特徴とする請求項８乃至１０のいずれか１項に記載の表示装置。
【請求項１３】
光源と、
前記光源からの光を一端面で受光し、前記一端面から入射した光を一方面側に反射する反射面を有する複数の凹部からなる表示部が形成された透明な導光板と、
前記導光板の前記一方面側に前記導光板と並列して配置され、第１の透明板と、前記第１の透明板の一方面上の少なくとも一部に、平面視において前記表示部と重なる領域を有するように形成され、入射する光の一部を反射して残りの光を透過させるハーフミラー層とを有するハーフミラー板と、
前記導光板の他方面側に前記導光板と並列して配置され、第２の透明板と、前記第２の透明板の一方面上の少なくとも一部に、平面視において前記ハーフミラー層および前記表示部と重なる領域を有するように形成され、前記導光板側から入射する光を全反射するミラー層とをそれぞれ有する複数のミラー板とを備え、
複数の前記ミラー板に形成された複数の前記ミラー層は、平面視において互いに異なる領域に配置されていることを特徴とする表示装置。
【請求項１４】
前記ハーフミラー板および複数の前記ミラー板の少なくともいずれか１つは、少なくとも一部が曲面状に形成されていることを特徴とする請求項１３に記載の表示装置。
【請求項１５】
前記ハーフミラー板および複数の前記ミラー板の少なくともいずれか１つは、少なくとも一部が前記導光板に対して傾斜した平面状に形成されていることを特徴とする請求項１３に記載の表示装置。
【請求項１６】
光源と、
前記光源からの光を一端面で受光し、前記一端面から入射した光を一方面側に反射する反射面を有する複数の凹部からなる表示部が形成された透明な導光板と、
前記導光板の前記一方面上の少なくとも一部に、平面視において前記表示部と重なる領域を有するように形成され、入射する光の一部を反射して残りの光を透過させるハーフミラー層と、
前記導光板の他方面側上の少なくとも一部に、平面視において前記ハーフミラー層および前記表示部と重なる領域を有するように形成され、前記導光板側から入射する光を全反射するミラー層と
を備えることを特徴とする表示装置。
【請求項１７】
光源と、
前記光源からの光を一端面で受光し、前記一端面から入射した光を一方面側に反射する反射面を有する複数の凹部からなる表示部が形成された透明な導光板と、
前記導光板の前記一方面上の少なくとも一部に、平面視において前記表示部と重なる領域を有するように形成され、入射する光の一部を反射して残りの光を透過させる第１のハーフミラー層と、
前記導光板の他方面側上の少なくとも一部に、平面視において前記第１のハーフミラー層および前記表示部と重なる領域を有するように形成され、入射する光の一部を反射して残りの光を透過させる第２のハーフミラー層と
を備えることを特徴とする表示装置。
【請求項１８】
光源と、
前記光源からの光を一端面で受光し、前記一端面から入射した光を一方面側に反射する反射面を有する複数の凹部からなる表示部が形成された透明な導光板と、
前記導光板の前記一方面上に形成され、入射する光の一部を反射して残りの光を透過させるハーフミラー層と、
前記導光板の他方面側に前記導光板と並列して配置され、前記導光板側から入射する光を全反射するミラー板と
を備えることを特徴とする表示装置。
【請求項１９】
前記ハーフミラー層は、前記導光板の前記一方面上の少なくとも一部に、平面視において前記表示部と重なる領域を有するように形成され、
前記ミラー板は、透明板と、前記透明板の一方面上の少なくとも一部に、平面視において前記ハーフミラー層および前記表示部と重なる領域を有するように形成され、前記導光板側から入射する光を全反射するミラー層とを有することを特徴とする請求項１８に記載の表示装置。
【請求項２０】
前記ミラー板は、少なくとも一部が曲面状に形成されていることを特徴とする請求項１８または１９に記載の表示装置。
【請求項２１】
前記ミラー板は、少なくとも一部が前記導光板に対して傾斜した平面状に形成されていることを特徴とする請求項１８または１９に記載の表示装置。
【請求項２２】
光源と、
前記光源からの光を一端面で受光し、前記一端面から入射した光を一方面側に反射する反射面を有する複数の凹部からなる表示部が形成された透明な導光板と、
前記導光板の前記一方面側に前記導光板と並列して配置され、透明板と、前記透明板の一方面上の少なくとも一部に、平面視において前記表示部と重なる領域を有するように形成され、入射する光の一部を反射して残りの光を透過させるハーフミラー層とを有するハーフミラー板と、
前記導光板の他方面側上の少なくとも一部に、平面視において前記ハーフミラー層および前記表示部と重なる領域を有するように形成され、前記導光板側から入射する光を全反射するミラー層と
を備えることを特徴とする表示装置。
【請求項２３】
前記ハーフミラー板は、少なくとも一部が曲面状に形成されていることを特徴とする請求項２２に記載の表示装置。
【請求項２４】
前記ハーフミラー板は、少なくとも一部が前記導光板に対して傾斜した平面状に形成されていることを特徴とする請求項２２に記載の表示装置。
【請求項２５】
複数の光源と、
並列して複数の前記光源ごとに設けられ、対応する前記光源からの光を一端面で受光し、前記一端面から入射した光を一方面側に反射する反射面を有する複数の凹部からなる表示部がそれぞれ形成された複数の透明な導光板と、
複数の前記導光板のうち前記一方面側の最も外側に配置された導光板の前記一方面側に、複数の前記導光板と並列して配置され、入射する光の一部を反射して残りの光を透過させる第１のハーフミラー板と、
複数の前記導光板の間に配置され、入射する光の一部を反射して残りの光を透過させる第２のハーフミラー板と、
複数の前記導光板の前記第１のハーフミラー板が配置された側とは反対側に、複数の前記導光板と並列して配置され、前記導光板側から入射する光を全反射するミラー板と
を備えることを特徴とする表示装置。
【請求項２６】
前記第１のハーフミラー板は、第１の透明板と、前記第１の透明板の一方面上の少なくとも一部に、平面視において少なくとも１つの前記導光板に形成された前記表示部と重なる領域を有するように形成され、入射する光の一部を反射して残りの光を透過させる第１のハーフミラー層とを有し、
前記第２のハーフミラー板は、第２の透明板と、前記第２の透明板の一方面上の少なくとも一部に、平面視において少なくとも１つの前記導光板に形成された前記表示部と重なる領域を有するように形成され、入射する光の一部を反射して残りの光を透過させる第２のハーフミラー層とを有し、
前記ミラー板は、第３の透明板と、前記第３の透明板の一方面上の少なくとも一部に、平面視において前記第１のハーフミラー層、前記第２のハーフミラー層、および少なくとも１つの前記導光板に形成された前記表示部と重なる領域を有するように形成され、前記導光板側から入射する光を全反射するミラー層とを有することを特徴とする請求項２５に記載の表示装置。
【請求項２７】
前記第１のハーフミラー板、前記第２のハーフミラー板、および前記ミラー板の少なくともいずれか１つは、少なくとも一部が曲面状に形成されていることを特徴とする請求項２５または２６に記載の表示装置。
【請求項２８】
前記第１のハーフミラー板、前記第２のハーフミラー板、および前記ミラー板の少なくともいずれか１つは、少なくとも一部が前記導光板に対して傾斜した平面状に形成されていることを特徴とする請求項２５または２６に記載の表示装置。
【請求項２９】
複数の前記光源は、互いに異なる色光を出射することを特徴とする請求項２５乃至２８のいずれか１項に記載の表示装置。
【発明の詳細な説明】
【技術分野】
【０００１】
本発明は、ディスプレイなどに用いられる表示装置に関する。
【背景技術】
【０００２】
従来、ミラーとハーフミラーとの間の多重反射を用いた表示装置が知られている（例えば、特許文献１参照）。
【０００３】
この表示装置は、ハーフミラーとミラーとを対向させ、その間に物体を配置し、物体を照明すると、ハーフミラー側から観察したときに、ミラーとハーフミラーとの間の多重反射で物体が多数重なって見えることを利用して、観察者に立体感を印象付けるものである。
【０００４】
このような多重反射を用いた表示装置では、ミラーとハーフミラーとの間に配置する物体が明るく、また小さいほど、より明確に多重反射の効果が得られる。
【０００５】
例えば、輝度が高くサイズが小さい発光ダイオード（ＬＥＤ：Light Emitting Diode）等の光源をミラーとハーフミラーとの間に配置すると、多くの多重反射の効果が得られ、このような光源を多数用いることで、美しく幻想的な視覚効果が得られる。
【特許文献１】特開２０００−４７６１３号公報
【発明の開示】
【発明が解決しようとする課題】
【０００６】
しかしながら、多重反射を用いた表示装置において、ミラーとハーフミラーとの間にＬＥＤ等の光源を多数配置することは、電極配線の複雑化、およびコストアップを招くため、現実的でなかった。
【０００７】
本発明は上記に鑑みてなされたもので、簡単な構造で、多重反射の視覚効果が高い表示装置を提供することを目的とする。
【課題を解決するための手段】
【０００８】
上記目的を達成するため、本発明の請求項１に係る表示装置は、光源と、前記光源からの光を一端面で受光し、前記一端面から入射した光を一方面側に反射する反射面を有する複数の凹部からなる表示部が形成された透明な導光板と、前記導光板の前記一方面側に前記導光板と並列して配置され、入射する光の一部を反射して残りの光を透過させるハーフミラー板と、前記導光板の他方面側に前記導光板と並列して配置され、前記導光板側から入射する光を全反射するミラー板とを備えることを特徴とする。
【０００９】
本発明の請求項２に係る表示装置は、請求項１に記載の表示装置において、前記ハーフミラー板は、第１の透明板と、前記第１の透明板の一方面上の少なくとも一部に、平面視において前記表示部と重なる領域を有するように形成され、入射する光の一部を反射して残りの光を透過させるハーフミラー層とを有し、前記ミラー板は、第２の透明板と、前記第２の透明板の一方面上の少なくとも一部に、平面視において前記ハーフミラー層および前記表示部と重なる領域を有するように形成され、前記導光板側から入射する光を全反射するミラー層とを有することを特徴とする。
【００１０】
本発明の請求項３に係る表示装置は、複数の光源と、並列して複数の前記光源ごとに設けられ、対応する前記光源からの光を一端面で受光し、前記一端面から入射した光を一方面側に反射する反射面を有する複数の凹部からなる表示部がそれぞれ形成された複数の透明な導光板と、複数の前記導光板のうち前記一方面側の最も外側に配置された導光板の前記一方面側に、複数の前記導光板と並列して配置され、入射する光の一部を反射して残りの光を透過させるハーフミラー板と、複数の前記導光板の前記ハーフミラー板が配置された側とは反対側に、複数の前記導光板と並列して配置され、複数の前記導光板側から入射する光を全反射するミラー板とを備えることを特徴とする。
【００１１】
本発明の請求項４に係る表示装置は、請求項３に記載の表示装置において、複数の前記光源は、互いに異なる色光を出射することを特徴とする。
【００１２】
本発明の請求項５に係る表示装置は、請求項３または４に記載の表示装置において、前記ハーフミラー板は、第１の透明板と、前記第１の透明板の一方面上の少なくとも一部に、平面視において少なくとも１つの前記導光板に形成された前記表示部と重なる領域を有するように形成され、入射する光の一部を反射して残りの光を透過させるハーフミラー層とを有し、前記ミラー板は、第２の透明板と、前記第２の透明板の一方面上の少なくとも一部に、平面視において前記ハーフミラー層および少なくとも１つの前記導光板に形成された前記表示部と重なる領域を有するように形成され、複数の前記導光板側から入射する光を全反射するミラー層とを有することを特徴とする。
【００１３】
本発明の請求項６に係る表示装置は、請求項１乃至５のいずれか１項に記載の表示装置において、前記ハーフミラー板および前記ミラー板の少なくともいずれか一方は、少なくとも一部が曲面状に形成されていることを特徴とする。
【００１４】
本発明の請求項７に係る表示装置は、請求項１乃至５のいずれか１項に記載の表示装置において、前記ハーフミラー板および前記ミラー板の少なくともいずれか一方は、少なくとも一部が前記導光板に対して傾斜した平面状に形成されていることを特徴とする。
【００１５】
本発明の請求項８に係る表示装置は、光源と、前記光源からの光を一端面で受光し、前記一端面から入射した光を一方面側に反射する反射面を有する複数の凹部からなる表示部が形成された透明な導光板と、前記導光板の前記一方面側に前記導光板と並列して配置され、第１の透明板と、前記第１の透明板の一方面上の少なくとも一部に、平面視において前記表示部と重なる領域を有するように形成され、入射する光の一部を反射して残りの光を透過させる第１のハーフミラー層とを有する第１のハーフミラー板と、前記導光板の前記一方面側に前記導光板と並列して配置され、第２の透明板と、前記第２の透明板の一方面上の少なくとも一部に、平面視において前記第１のハーフミラー層および前記表示部と重なる領域を有するように形成され、入射する光の一部を反射して残りの光を透過させる第２のハーフミラー層とを有する第２のハーフミラー板とを備えることを特徴とする。
【００１６】
本発明の請求項９に係る表示装置は、複数の光源と、並列して複数の前記光源ごとに設けられ、対応する前記光源からの光を一端面で受光し、前記一端面から入射した光を一方面側に反射する反射面を有する複数の凹部からなる表示部がそれぞれ形成された複数の透明な導光板と、複数の前記導光板のうち前記一方面側の最も外側に配置された導光板の前記一方面側に、複数の前記導光板と並列して配置され、第１の透明板と、前記第１の透明板の一方面上の少なくとも一部に、平面視において少なくとも１つの前記導光板に形成された前記表示部と重なる領域を有するように形成され、入射する光の一部を反射して残りの光を透過させる第１のハーフミラー層とを有する第１のハーフミラー板と、複数の前記導光板の前記第１のハーフミラー板が配置された側とは反対側に、複数の前記導光板と並列して配置され、第２の透明板と、前記第２の透明板の一方面上の少なくとも一部に、平面視において前記第１のハーフミラー層および少なくとも１つの前記導光板に形成された前記表示部と重なる領域を有するように形成され、入射する光の一部を反射して残りの光を透過させる第２のハーフミラー層とを有する第２のハーフミラー板とを備えることを特徴とする。
【００１７】
本発明の請求項１０に係る表示装置は、請求項９に記載の表示装置において、複数の前記光源は、互いに異なる色光を出射することを特徴とする。
【００１８】
本発明の請求項１１に係る表示装置は、請求項８乃至１０のいずれか１項に記載の表示装置において、前記第１のハーフミラー板および前記第２のハーフミラー板の少なくともいずれか一方は、少なくとも一部が曲面状に形成されていることを特徴とする。
【００１９】
本発明の請求項１２に係る表示装置は、請求項８乃至１０のいずれか１項に記載の表示装置において、前記第１のハーフミラー板および前記第２のハーフミラー板の少なくともいずれか一方は、少なくとも一部が前記導光板に対して傾斜した平面状に形成されていることを特徴とする。
【００２０】
本発明の請求項１３に係る表示装置は、光源と、前記光源からの光を一端面で受光し、前記一端面から入射した光を一方面側に反射する反射面を有する複数の凹部からなる表示部が形成された透明な導光板と、前記導光板の前記一方面側に前記導光板と並列して配置され、第１の透明板と、前記第１の透明板の一方面上の少なくとも一部に、平面視において前記表示部と重なる領域を有するように形成され、入射する光の一部を反射して残りの光を透過させるハーフミラー層とを有するハーフミラー板と、前記導光板の他方面側に前記導光板と並列して配置され、第２の透明板と、前記第２の透明板の一方面上の少なくとも一部に、平面視において前記ハーフミラー層および前記表示部と重なる領域を有するように形成され、前記導光板側から入射する光を全反射するミラー層とをそれぞれ有する複数のミラー板とを備え、複数の前記ミラー板に形成された複数の前記ミラー層は、平面視において互いに異なる領域に配置されていることを特徴とする。
【００２１】
本発明の請求項１４に係る表示装置は、請求項１３に記載の表示装置において、前記ハーフミラー板および複数の前記ミラー板の少なくともいずれか１つは、少なくとも一部が曲面状に形成されていることを特徴とする。
【００２２】
本発明の請求項１５に係る表示装置は、請求項１３に記載の表示装置において、前記ハーフミラー板および複数の前記ミラー板の少なくともいずれか１つは、少なくとも一部が前記導光板に対して傾斜した平面状に形成されていることを特徴とする。
【００２３】
本発明の請求項１６に係る表示装置は、光源と、前記光源からの光を一端面で受光し、前記一端面から入射した光を一方面側に反射する反射面を有する複数の凹部からなる表示部が形成された透明な導光板と、前記導光板の前記一方面上の少なくとも一部に、平面視において前記表示部と重なる領域を有するように形成され、入射する光の一部を反射して残りの光を透過させるハーフミラー層と、前記導光板の他方面側上の少なくとも一部に、平面視において前記ハーフミラー層および前記表示部と重なる領域を有するように形成され、前記導光板側から入射する光を全反射するミラー層とを備えることを特徴とする。
【００２４】
本発明の請求項１７に係る表示装置は、光源と、前記光源からの光を一端面で受光し、前記一端面から入射した光を一方面側に反射する反射面を有する複数の凹部からなる表示部が形成された透明な導光板と、前記導光板の前記一方面上の少なくとも一部に、平面視において前記表示部と重なる領域を有するように形成され、入射する光の一部を反射して残りの光を透過させる第１のハーフミラー層と、前記導光板の他方面側上の少なくとも一部に、平面視において前記第１のハーフミラー層および前記表示部と重なる領域を有するように形成され、入射する光の一部を反射して残りの光を透過させる第２のハーフミラー層とを備えることを特徴とする。
【００２５】
本発明の請求項１８に係る表示装置は、光源と、前記光源からの光を一端面で受光し、前記一端面から入射した光を一方面側に反射する反射面を有する複数の凹部からなる表示部が形成された透明な導光板と、前記導光板の前記一方面上に形成され、入射する光の一部を反射して残りの光を透過させるハーフミラー層と、前記導光板の他方面側に前記導光板と並列して配置され、前記導光板側から入射する光を全反射するミラー板とを備えることを特徴とする。
【００２６】
本発明の請求項１９に係る表示装置は、請求項１８に記載の表示装置において、前記ハーフミラー層は、前記導光板の前記一方面上の少なくとも一部に、平面視において前記表示部と重なる領域を有するように形成され、前記ミラー板は、透明板と、前記透明板の一方面上の少なくとも一部に、平面視において前記ハーフミラー層および前記表示部と重なる領域を有するように形成され、前記導光板側から入射する光を全反射するミラー層とを有することを特徴とする。
【００２７】
本発明の請求項２０に係る表示装置は、請求項１８または１９に記載の表示装置において、前記ミラー板は、少なくとも一部が曲面状に形成されていることを特徴とする。
【００２８】
本発明の請求項２１に係る表示装置は、請求項１８または１９に記載の表示装置において、前記ミラー板は、少なくとも一部が前記導光板に対して傾斜した平面状に形成されていることを特徴とする。
【００２９】
本発明の請求項２２に係る表示装置は、光源と、前記光源からの光を一端面で受光し、前記一端面から入射した光を一方面側に反射する反射面を有する複数の凹部からなる表示部が形成された透明な導光板と、前記導光板の前記一方面側に前記導光板と並列して配置され、透明板と、前記透明板の一方面上の少なくとも一部に、平面視において前記表示部と重なる領域を有するように形成され、入射する光の一部を反射して残りの光を透過させるハーフミラー層とを有するハーフミラー板と、前記導光板の他方面側上の少なくとも一部に、平面視において前記ハーフミラー層および前記表示部と重なる領域を有するように形成され、前記導光板側から入射する光を全反射するミラー層とを備えることを特徴とする。
【００３０】
本発明の請求項２３に係る表示装置は、請求項２２に記載の表示装置において、前記ハーフミラー板は、少なくとも一部が曲面状に形成されていることを特徴とする。
【００３１】
本発明の請求項２４に係る表示装置は、請求項２２に記載の表示装置において、前記ハーフミラー板は、少なくとも一部が前記導光板に対して傾斜した平面状に形成されていることを特徴とする。
【００３２】
本発明の請求項２５に係る表示装置は、複数の光源と、並列して複数の前記光源ごとに設けられ、対応する前記光源からの光を一端面で受光し、前記一端面から入射した光を一方面側に反射する反射面を有する複数の凹部からなる表示部がそれぞれ形成された複数の透明な導光板と、複数の前記導光板のうち前記一方面側の最も外側に配置された導光板の前記一方面側に、複数の前記導光板と並列して配置され、入射する光の一部を反射して残りの光を透過させる第１のハーフミラー板と、複数の前記導光板の間に配置され、入射する光の一部を反射して残りの光を透過させる第２のハーフミラー板と、複数の前記導光板の前記第１のハーフミラー板が配置された側とは反対側に、複数の前記導光板と並列して配置され、前記導光板側から入射する光を全反射するミラー板とを備えることを特徴とする。
【００３３】
本発明の請求項２６に係る表示装置は、請求項２５に記載の表示装置において、前記第１のハーフミラー板は、第１の透明板と、前記第１の透明板の一方面上の少なくとも一部に、平面視において少なくとも１つの前記導光板に形成された前記表示部と重なる領域を有するように形成され、入射する光の一部を反射して残りの光を透過させる第１のハーフミラー層とを有し、前記第２のハーフミラー板は、第２の透明板と、前記第２の透明板の一方面上の少なくとも一部に、平面視において少なくとも１つの前記導光板に形成された前記表示部と重なる領域を有するように形成され、入射する光の一部を反射して残りの光を透過させる第２のハーフミラー層とを有し、前記ミラー板は、第３の透明板と、前記第３の透明板の一方面上の少なくとも一部に、平面視において前記第１のハーフミラー層、前記第２のハーフミラー層、および少なくとも１つの前記導光板に形成された前記表示部と重なる領域を有するように形成され、前記導光板側から入射する光を全反射するミラー層とを有することを特徴とする。
【００３４】
本発明の請求項２７に係る表示装置は、請求項２５または２６に記載の表示装置において、前記第１のハーフミラー板、前記第２のハーフミラー板、および前記ミラー板の少なくともいずれか１つは、少なくとも一部が曲面状に形成されていることを特徴とする。
【００３５】
本発明の請求項２８に係る表示装置は、請求項２５または２６に記載の表示装置において、前記第１のハーフミラー板、前記第２のハーフミラー板、および前記ミラー板の少なくともいずれか１つは、少なくとも一部が前記導光板に対して傾斜した平面状に形成されていることを特徴とする。
【００３６】
本発明の請求項２９に係る表示装置は、請求項２５乃至２８のいずれか１項に記載の表示装置において、複数の前記光源は、互いに異なる色光を出射することを特徴とする。
【発明の効果】
【００３７】
本発明によれば、簡単な構造で、多重反射の視覚効果が高い表示装置を提供することができる。
【発明を実施するための最良の形態】
【００３８】
以下、本発明を実施するための最良の形態について、図面を参照して説明する。
【００３９】
［第１の実施の形態］
図１は本発明の第１の実施の形態に係る表示装置を模式的に示す斜視図、図２は図１におけるＡ−Ａ断面図である。
【００４０】
図１、図２に示すように、第１の実施の形態に係る表示装置１は、導光板２と、ハーフミラー板３と、ミラー板４と、光源５とを備える。
【００４１】
導光板２は、透明な材料からなる矩形の板により構成される。導光板２の材料としては、アクリル樹脂、ポリカーボネート樹脂、シリコーン樹脂、シクロポリオレフィン樹脂等などの合成樹脂や、ガラスなどが用いられ、その中でも透明性、加工の容易さなどの点からアクリル樹脂が好ましい。導光板２の厚さは、例えば１ｍｍ〜３ｍｍとすることができる。
【００４２】
なお、本発明において、透明であるとは、後述の凹部６からの反射光が視認できる程度の光透過性をもつことをいう。この定義は本発明において共通に用いられる。
【００４３】
導光板２の裏面２ｂには、複数のドット状の凹部６からなる表示部７が形成されている。図３は図２における凹部６周辺の部分拡大図である。図３に示すように、凹部６は、光源５から出射されて導光板２の端面２ｃから入射した光を導光板２の表面２ａ側に反射する反射面６ａを有する。凹部６は、光源５からの光が反射面６ａに当たるような形状とされる。例えば、凹部６は、平面視形状が略矩形とされ、反射面６ａを斜辺とする三角形となる断面を有する。
【００４４】
なお、凹部６の平面視形状は、矩形に限らず、三角形、五角形などの多角形、円形、楕円形などであってもよい。
【００４５】
導光板２の裏面２ｂに対する反射面６ａの傾斜角度（図３に示す角度α）は、小さすぎれば出射光の傾斜角度も大きくなり、表示装置１を表面側から見たときの凹部６の視認性が低下する。傾斜角度αが大きすぎれば、光の入射角度が臨界角を超え、反射面６ａを透過する光の割合が増加するため、光の反射効率が低下し、光の利用効率が低くなる。
【００４６】
このため、反射面６ａの傾斜角度αは、４０度以上６０度以下が好ましく、５０度以上５５度以下がさらに好ましい。傾斜角度αを上記範囲とすることによって、光の反射効率を高くするとともに、反射光を導光板２の表面２ａに対し垂直に近い角度で出射させ、凹部６の視認性を高めることができる。
【００４７】
なお、図示例では、反射面６ａは平面状であるが、反射面は少なくとも一部が平面状であればよく、一部を曲面により構成してもよい。また、反射面の形状を各反射面で異ならせてもよい。反射面が曲面であると、反射光の出射角度が広い範囲にわたる場合があるが、この場合には、凹部６が広い範囲から視認できるようになる。
【００４８】
また、反射面６ａにおける光の反射効率を高めるために、反射面６ａの表面は平滑に形成することが望ましい。
【００４９】
すべての凹部６の平面視面積を同一とすると、光源５に近い凹部６における反射光に比べ、光源５から遠い位置にある凹部６における反射光の輝度が低くなる傾向がある。このため、凹部６の平面視面積を光源５からの距離に応じて大きくすることによって、凹部６の反射光の輝度を均一化するのが好ましい。
【００５０】
また、凹部６は、表示部７が文字、記号、図形、模様のうちのいずれか１つ以上の組み合せをなすように配置するのが好ましい。
【００５１】
導光板２に凹部６を形成する方法は、特に限定されるものではないが、一例として、アクリル樹脂からなる樹脂板を加熱して軟化させた状態で、凹部６に対応した成型用型をこの樹脂板に挿入する。この状態で樹脂板を冷却した後、成型用型を樹脂板から抜くことにより、導光板２の凹部６を形成することができる。なお、切削加工、プレス成型、射出成型等によって凹部６を形成することもできる。
【００５２】
ハーフミラー板３は、導光板２の表面２ａ側に、所定の間隔を介して導光板２と並列して配置され、導光板２と略同一の形状に形成されている。
【００５３】
ハーフミラー板３は、導光板２と同様の透明な材料からなる透明板３１と、透明板３１の導光板２に対向する裏面３１ｂの反対側の面である表面３１ａ上に形成され、入射する光の一部を反射して残りの光を透過させるハーフミラー層３２とを備える。
【００５４】
ハーフミラー層３２は、金、銀、銅、アルミニウム、クロム、ニッケル、チタン、スズ等の金属や、これらの金属を含む合金、金属化合物等を透明板３１の表面３１ａに薄く蒸着させて形成されたものである。ハーフミラー層３２の反射率は、良好な多重反射の効果を得るために、５０％〜９０％であることが好ましい。
【００５５】
ミラー板４は、導光板２の裏面２ｂ側に、所定の間隔を介して導光板２と並列して配置され、導光板２と略同一の形状に形成されている。
【００５６】
ミラー板４は、導光板２と同様の透明な材料からなる透明板４１と、透明板４１の導光板２に対向する表面４１ａの反対側の面である裏面４１ｂ上に形成され、導光板２側から入射する光を導光板２側に全反射するミラー層４２とを備える。
【００５７】
ミラー層４２は、金、銀、銅、アルミニウム、クロム、ニッケル、チタン、スズ等の金属や、これらの金属を含む合金、金属化合物等を透明板４１の裏面４１ｂに蒸着させて形成されたものである。
【００５８】
導光板２、ハーフミラー板３、およびミラー板４は、図示しない固定枠等により互いに固定される。
【００５９】
光源５は、導光板２の一辺の端面２ｃに光を入射可能に配置されている。光源５は、導光板２の端面２ｃ沿って延在して形成され、例えば、端面２ｃに沿う方向に配列された複数のＬＥＤからなる。
【００６０】
次に、表示装置１の作用について説明する。
【００６１】
外部から電力が供給されて光源５が発光すると、光源５からの光は、導光板２の端面２ｃから入射して導光板２内を進行する。そして、図３に示すように、導光板２内を進行して凹部６の反射面６ａに達した光の大部分は、反射面６ａで反射されて導光板２の表面２ａから出射する。
【００６２】
導光板２の表面２ａから出射した光は、ハーフミラー板３の透明板３１の裏面３１ｂから入射し、その一部がハーフミラー層３２で導光板２側に反射され、残りの光がハーフミラー層３２を透過して外部に出射される。
【００６３】
ハーフミラー層３２で反射された光は、透明板３１の裏面３１ｂから出射し、導光板２を通過してミラー板４の透明板４１の表面４１ａから入射し、ミラー層４２で導光板２側に全反射される。
【００６４】
ミラー層４２で全反射された光は、導光板２を通過してハーフミラー板３のハーフミラー層３２で一部が反射され、残りの光が外部に出射される。
【００６５】
このようにして、反射面６ａで反射された光は、ハーフミラー層３２とミラー層４２との間で複数回に亘って反射し、その際、ハーフミラー層３２で反射されるたびに、光の一部が外部に出射する。
【００６６】
表示装置１をハーフミラー板３側から見ると、反射面６ａで反射された光、およびそれが多重反射された光が輝点として視認され、表示部７が高輝度の多重像として観察される。
【００６７】
凹部６の反射面６ａに達した光の大部分は、反射面６ａで反射されてほぼ一定の方向に向かうため、反射光の単位面積あたりの輝度は十分に大きくなる。このため、多くの多重反射の効果が得られ、深い奥行きがあるような視覚効果が得られる。
【００６８】
輝点が奥行き方向に並んで見える間隔は、ハーフミラー層３２とミラー層４２との間隔で決まる。このため、ハーフミラー層３２とミラー層４２との間隔を適宜設定することによって、視認される多重像の奥行きを変化させることができる。
【００６９】
また、上述のように反射面６ａの反射光の単位面積あたりの輝度が大きいため、凹部６の面積を小さく抑えることができる。このため、光源５の非発光時には凹部６は視認されず、表示装置１はほぼ完全な鏡面に見え、光源５の発光時だけ多重像が表示される。
【００７０】
このように第１の実施の形態によれば、導光板２内を進行して凹部６の反射面６ａで反射した高輝度の光をハーフミラー層３２とミラー層４２との間で多重反射させることにより表示部７の多重像を表示するので、多重反射の視覚効果が高く、意匠性に優れた表示装置を実現することができる。
【００７１】
また、光源５は導光板２の端面２ｃに配置されるため、複雑な電極配線等が不要で、構造を簡素化できる。
【００７２】
なお、図１、図２の表示装置１では、ハーフミラー層３２、ミラー層４２が、それぞれハーフミラー板３、ミラー板４の全面に形成されている場合を示したが、ハーフミラー層３２およびミラー層４２は、部分的に形成されていてもよい。この場合、平面視において、ハーフミラー層３２と表示部７とミラー層４２とが重なる領域を有するように配置する。
【００７３】
このようにすれば、ハーフミラー層３２とミラー層４２とが重なる領域だけ多重反射の効果が現れ、他の領域は凹部６からの反射光がそのまま視認されるので、部分的に多重像が形成された模様等を表現することができる。
【００７４】
また、導光板２、ハーフミラー板３、およびミラー板４は、矩形に限らず、多角形、円形等であってもよい。
【００７５】
また、ハーフミラー層３２およびミラー層４２は、上述した金属膜ではなく、誘電体多層膜により構成してもよい。
【００７６】
また、ミラー層４２をハーフミラー層に置き換え、導光板２を２枚のハーフミラー板の間に配置するような構成としてもよい。このようにすれば、反射面６ａで反射された光が２枚のハーフミラー板のハーフミラー層間で多重反射され、各ハーフミラー層で反射されるたびに、光の一部が外部に出射するので、表示装置１の両面から多重像が観察される。なお、この場合も、２枚のハーフミラー板のハーフミラー層を部分的に形成し、平面視において表示部７と２つのハーフミラー層とが重なる領域だけ多重像が得られるようにしてもよい。
【００７７】
（第１の実施の形態の変形例１）
図４は本発明の第１の実施の形態の変形例１に係る表示装置を模式的に示す斜視図、図５は図４におけるＡ−Ａ断面図である。なお、図４、図５では、図１、図２に示した表示装置１と同様の構成には同一の符号を付し、重複する説明を省略する。他の実施の形態についても同様とする。
【００７８】
図４、図５に示すように、第１の実施の形態の変形例１に係る表示装置１Ａは、図１、図２に示す表示装置１のミラー板４をミラー板８に置き換えた構成である。
【００７９】
ミラー板８は、導光板２と同様の透明な材料からなり、導光板２に対向する表面８１ａが凹面となる曲面状の透明板８１と、透明板８１の裏面８１ｂ上に形成され、導光板２側から入射する光を全反射するミラー層８２とを備える。
【００８０】
このように曲面状に形成されたミラー板８を用いると、ミラー層８２で反射されることによって光の方向が表示装置１Ａの内側に向かう方向に変わるため、表示部７の模様等が収束するような多重像が得られ、平面状のミラー板を用いた場合とは異なる視覚効果を得ることができる。
【００８１】
なお、ミラー板８は、導光板２に対向する表面が凸面となる曲面状に形成してもよい。このようにすれば、表示部７の模様等が拡散するような多重像が観察される。
【００８２】
また、ミラー板８の一部を曲面状とし、他の部分を平面状としてもよい。このようにすれば、曲面状の部分のみ、他の部分とは異なる視覚効果が得られる。
【００８３】
また、ハーフミラー板３もミラー板８と同様に、少なくとも一部が曲面状となるように形成してもよい。これにより、さらに異なる視覚効果が得られる。
【００８４】
また、上記説明した図１に示す表示装置１と同様に、ハーフミラー層３２、ミラー層８２を透明板３１，８１上にそれぞれ部分的に形成し、平面視において、ハーフミラー層３２と表示部７とミラー層８２とが重なる領域を有するように配置するようにしてもよい。
【００８５】
また、ミラー板８のミラー層８２をハーフミラー層に置き換え、表示装置１Ａの両面から多重像が観察できるようにしてもよい。
【００８６】
（第１の実施の形態の変形例２）
図６は本発明の第１の実施の形態の変形例２に係る表示装置を模式的に示す斜視図、図７は図６におけるＡ−Ａ断面図である。
【００８７】
図６、図７に示すように、第１の実施の形態の変形例２に係る表示装置１Ｂは、図１、図２に示す表示装置１のミラー板４をミラー板９に置き換えた構成である。
【００８８】
ミラー板９は、導光板２と同様の透明な材料からなり、導光板２に対して傾斜した複数の平面状の板を連続させて形成された断面三角波形状の透明板９１と、透明板９１の導光板２に対向する表面９１ａの反対側の面であるの裏面９１ｂ上に形成され、導光板２側から入射する光を全反射するミラー層９２とを備える。
【００８９】
このような形状のミラー板９を用いると、ミラー層９２に入射する光が、その入射面の方向によって様々な方向に反射するので、複雑な多重像が得られ、平面状のミラー板を用いた場合とは異なる視覚効果を得ることができる。
【００９０】
また、ミラー板９の一部を曲面状に形成してもよい。このようにすれば、曲面状の部分のみ、他の部分とは異なる視覚効果が得られる。
【００９１】
また、ハーフミラー板３もミラー板９と同様の形状としてもよい。これにより、さらに異なる視覚効果が得られる。
【００９２】
また、上記説明した図１に示す表示装置１と同様に、ハーフミラー層３２、ミラー層９２を透明板３１，９１上にそれぞれ部分的に形成し、平面視において、ハーフミラー層３２と表示部７とミラー層９２とが重なる領域を有するように配置するようにしてもよい。
【００９３】
また、ミラー板９のミラー層９２をハーフミラー層に置き換え、表示装置１Ｂの両面から多重像が観察できるようにしてもよい。
【００９４】
［第２の実施の形態］
図８は本発明の第２の実施の形態に係る表示装置を模式的に示す斜視図、図９は図８に示す表示装置の分解斜視図、図１０は図８におけるＡ−Ａ断面図である。
【００９５】
図８〜図１０に示すように、第２の実施の形態に係る表示装置１Ｃは、図１、図２に示す表示装置１のミラー板４を省略し、導光板２の裏面２ｂ側に、所定の間隔を介して導光板２と並列して配置された２枚のミラー板１１，１２を追加した構成である。
【００９６】
ミラー板１１は、導光板２と略同一の形状に形成された透明板１１１と、透明板１１１の導光板２に対向する表面１１１ａの反対側の面である裏面１１１ｂ上の一部に形成され、導光板２側から入射する光を導光板２側に全反射するミラー層１１２とを備える。
【００９７】
ミラー板１２は、導光板２と略同一の形状に形成された透明板１２１と、透明板１２１の透明板１１１に対向する表面１２１ａの反対側の面である裏面１２１ｂ上の一部に形成され、導光板２側から入射する光を導光板２側に全反射するミラー層１２２とを備える。
【００９８】
ミラー層１１２，１２２は、それぞれ平面視において表示部７の一部と重なる領域を有し、かつ平面視において互いに重複しない領域（異なる領域）に配置される。図示例では、平面視において表示装置１Ｃの中央部分にミラー層１１２が配置され、その周辺部分にミラー層１２２が配置されている。
【００９９】
このように構成された表示装置１Ｃにおいて、光源５が発光して導光板２に光が入射すると、表示部７を構成する各凹部６の反射面６ａで反射された光源５からの光が、ハーフミラー層３２とミラー層１１２との間、またはハーフミラー層３２とミラー層１２２との間で多重反射され、その際、ハーフミラー層３２で反射されるたびに、光の一部が外部に出射する。
【０１００】
表示装置１Ｃをハーフミラー板３側から見ると、表示部７が高輝度の多重像として観察されるが、ハーフミラー層３２とミラー層１２２との間隔が、ハーフミラー層３２とミラー層１１２との間隔よりも広いため、奥行き方向に並んで見える輝点の間隔が、表示装置１Ｃの中央部分よりも、その周辺部分のほうが大きく見える。この結果、表示装置１Ｃの中央部分よりも、その周辺部分のほうが、多重像の奥行きが大きいように観察される。
【０１０１】
このように第２の実施の形態によれば、平面視において互いに重複しない領域に配置されたミラー層１１２，１２２が形成された２枚のミラー板１１，１２を用いることで、奥行きの異なる多重像を表示でき、意匠性を高めることができる。
【０１０２】
なお、図８〜図１０の表示装置１Ｃでは、ハーフミラー層３２がハーフミラー板３の全面に形成されている場合を示したが、ハーフミラー層３２は、部分的に形成されていてもよい。この場合、平面視において、ハーフミラー層３２が、表示部７およびミラー層１１２，１２２と重なる領域を有するように配置する。このようにすれば、部分的に多重像が形成された模様等を表現することができる。
【０１０３】
また、それぞれ平面視において表示部７と重なる領域を有し、かつ平面視において互いに重複しない領域に配置されたミラー層を有するミラー板を３枚以上設けてもよい。また、各ミラー層をハーフミラー層に置き換え、表示装置１Ｃの両面から多重像を観察できるようにしてもよい。
【０１０４】
また、ハーフミラー板３およびミラー板１１，１２は平面状に限らず、上記第１の実施の形態の変形例１で説明した表示装置１Ａのミラー板８と同様の形状としてもよいし、上記第１の実施の形態の変形例２で説明した表示装置１Ｂのミラー板９と同様の形状としてもよい。
【０１０５】
［第３の実施の形態］
図１１は本発明の第３の実施の形態に係る表示装置を模式的に示す斜視図、図１２は図１１におけるＡ−Ａ断面図である。
【０１０６】
図１１、図１２に示すように、第３の実施の形態に係る表示装置１Ｄは、図１、図２に示す表示装置１のハーフミラー板３およびミラー板４を省略し、導光板２の表面２ａ上に金属等の蒸着により形成されたハーフミラー層１３と、導光板２の裏面２ｂ上に金属等の蒸着により形成されたミラー層１４とを追加した構成である。
【０１０７】
このように構成された表示装置１Ｄにおいて、光源５が発光して導光板２に光が入射すると、凹部６の反射面６ａで反射された光源５からの光が、ハーフミラー層１３とミラー層１４との間で多重反射され、その際、ハーフミラー層１３で反射されるたびに、光の一部が外部に出射する。表示装置１Ｄをハーフミラー層１３側から見ると、表示部７が高輝度の多重像として観察される。
【０１０８】
このように第３の実施の形態に係る表示装置１Ｄによっても、多重反射の視覚効果が高く、意匠性に優れた表示装置を実現することができる。
【０１０９】
また、表示装置１Ｄでは、導光板２上にハーフミラー層１３およびミラー層１４を形成したので、構造を簡素化し、薄型化することができる。
【０１１０】
なお、図１１、図１２では、ハーフミラー層１３、ミラー層１４が、それぞれ導光板２の表面２ａ、裏面２ｂの全面に形成されている場合を示したが、ハーフミラー層１３およびミラー層１４は、部分的に形成されていてもよい。この場合、平面視において、ハーフミラー層１３と表示部７とミラー層１４とが重なる領域を有するように配置する。
【０１１１】
これにより、ハーフミラー層１３とミラー層１４とが重なる領域だけ多重反射の効果が現れ、他の領域は凹部６からの反射光がそのまま視認されるので、部分的に多重像が形成された模様等を表現することができる。
【０１１２】
また、ミラー層１４をハーフミラー層に置き換え、表示装置１Ｄの両面から多重像を観察できるようにしてもよい。
【０１１３】
（第３の実施の形態の変形例）
図１３は本発明の第３の実施の形態の変形例に係る表示装置を模式的に示す斜視図、図１４は図１３におけるＡ−Ａ断面図である。
【０１１４】
図１３、図１４に示すように、第３の実施の形態の変形例に係る表示装置１Ｅは、図１１、図１２に示す表示装置１Ｄのミラー層１４を省略し、導光板２の裏面２ｂ側に所定の間隔を介してミラー板４を配置した構成である。
【０１１５】
このように構成された表示装置１Ｅにおいても、凹部６の反射面６ａで反射された光源５からの光を、ハーフミラー層１３とミラー層４２との間で多重反射させることで、多重反射の視覚効果が高く、意匠性に優れた表示装置を実現することができる。
【０１１６】
なお、ハーフミラー層１３およびミラー層４２は、部分的に形成されていてもよい。この場合、平面視において、ハーフミラー層１３と表示部７とミラー層４２とが重なる領域を有するように配置する。
【０１１７】
また、ミラー板４は平面状に限らず、上記第１の実施の形態の変形例１で説明した表示装置１Ａのミラー板８を用いてもよいし、上記第１の実施の形態の変形例２で説明した表示装置１Ｂのミラー板９を用いてもよい。
【０１１８】
また、ミラー板４のミラー層４２をハーフミラー層に置き換え、表示装置１Ｅの両面から多重像が観察できるようにしてもよい。
【０１１９】
また、導光板２の裏面２ｂ上に表示装置１Ｄと同様のミラー層１４を形成し、導光板２の表面２ａ側に所定の間隔を介して表示装置１と同様のハーフミラー板３を配置する構成としてもよい。この場合、平面視において、ミラー層１４と表示部７とハーフミラー板３のハーフミラー層３２とが重なる領域を有するように、ミラー層１４およびハーフミラー層３２を部分的に配置してもよい。また、ミラー層１４をハーフミラー層に置き換えてもよい。
【０１２０】
また、ハーフミラー板３は平面状に限らず、上記第１の実施の形態の変形例１で説明した表示装置１Ａのミラー板８と同様の形状としてもよいし、上記第１の実施の形態の変形例２で説明した表示装置１Ｂのミラー板９と同様の形状としてもよい。
【０１２１】
［第４の実施の形態］
図１５は本発明の第４の実施の形態に係る表示装置を模式的に示す斜視図、図１６は図１５におけるＡ−Ａ断面図である。
【０１２２】
図１５、図１６に示すように、第４の実施の形態に係る表示装置１Ｆは、図１、図２に示す表示装置１に対し、導光板２とミラー板４との間に配置された導光板１５と、導光板１５の一辺の端面１５ｃに光を入射可能に配置された光源１６とを追加した構成である。
【０１２３】
導光板１５は、導光板２と同様に構成されており、導光板１５の裏面１５ｂには、複数のドット状の凹部６からなる表示部１７が形成されている。
【０１２４】
光源１６は、導光板１５の端面１５ｃ沿って延在して形成され、例えば、端面１５ｃに沿う方向に配列された複数のＬＥＤからなる。光源１６は、光源５とは異なる色光を出射するように構成してもよい。
【０１２５】
このように構成された表示装置１Ｆにおいて、光源５，１６が発光して導光板２，１５に光が入射すると、表示部７を構成する各凹部６の反射面６ａで反射された光、および表示部１７を構成する各凹部６の反射面６ａで反射された光が、ハーフミラー層３２とミラー層４２との間で多重反射され、その際、ハーフミラー層１３で反射されるたびに、光の一部が外部に出射する。表示装置１Ｆをハーフミラー板３側から見ると、表示部７，１７が高輝度の多重像として観察される。
【０１２６】
表示装置１Ｆでは、光源５，１６の両方を発光して表示部７，１７の両方の多重像を表示してもよいし、光源５，１６のいずれか一方を発光させて表示部７，１７のいずれか一方の多重像を表示してもよい。
【０１２７】
また、光源５，１６を互いに異なる色光を出射する光源とすれば、表示部７，１７の多重像を異なる色で表示することができる。
【０１２８】
このように第４の実施の形態に係る表示装置１Ｆでは、２つの導光板２，１５および光源５，１６を備えるので、複数のパターンの模様等を多重像で表示することができ、意匠性を高めることができる。
【０１２９】
なお、ハーフミラー層３２およびミラー層４２は、透明板３１、透明板４１上において、部分的に形成されていてもよい。この場合、平面視において、ハーフミラー層３２と、表示部７，１７の少なくともいずれか一方と、ミラー層４２とが重なる領域を有するように配置する。このようにすれば、ハーフミラー層３２とミラー層４２とが重なる領域だけ多重反射の効果が現れ、部分的に多重像が形成された模様等を表現することができる。
【０１３０】
また、導光板およびそれに対応する光源の組を３つ以上設けてもよい。この場合、ハーフミラー層３２およびミラー層４２は、平面視において、ハーフミラー層３２と、少なくとも１つの導光板に形成された表示部と、ミラー層４２とが重なる領域を有するように配置する。
【０１３１】
また、上記第２の実施の形態で説明した表示装置１Ｃと同様に、それぞれ平面視において表示部７，１７の少なくともいずれか一方の一部と重なる領域を有し、かつ平面視において互いに重複しない領域に配置されたミラー層を有するミラー板を２枚以上設けてもよい。また、ミラー層をハーフミラー層に置き換え、表示装置１Ｇの両面から多重像を観察できるようにしてもよい。
【０１３２】
（第４の実施の形態の変形例）
図１７は本発明の第４の実施の形態の変形例に係る表示装置を模式的に示す斜視図、図１８は図１７におけるＡ−Ａ断面図である。
【０１３３】
図１７、図１８に示すように、第４の実施の形態の変形例に係る表示装置１Ｇは、図１５、図１６に示す表示装置１Ｆに対し、導光板２，１５の間に配置されたハーフミラー板１８を追加した構成である。
【０１３４】
ハーフミラー板１８は、透明板１８１と、透明板１８１の導光板１５に対向する裏面１８１ｂの反対側の面である表面１８１ａ上に形成され、入射する光の一部を反射して残りの光を透過させるハーフミラー層１８２とを備える。
【０１３５】
このように構成された表示装置１Ｇにおいて、光源５，１６が発光して導光板２，１５に光が入射すると、表示部７，１７を構成する各凹部６の反射面６ａで反射された光が、ハーフミラー層３２とハーフミラー層１８２との間、ハーフミラー層３２とミラー層４２との間、およびハーフミラー層１８２とミラー層４２との間で多重反射され、その際、ハーフミラー層３２で反射されるたびに、光の一部が外部に出射する。表示装置１Ｆをハーフミラー板３側から見ると、表示部７，１７が複雑な多重像として観察される。
【０１３６】
このように第４の実施の形態の変形例に係る表示装置１Ｇによれば、第４の実施の形態に係る表示装置１Ｆと同様の効果に加えて、より複雑な多重像を表示でき、意匠性を高めることができる。
【０１３７】
なお、ハーフミラー層３２、ハーフミラー層１８２、ミラー層４２は、透明板３１，１８１、透明板４１上において、部分的に形成されていてもよい。この場合、平面視において、ハーフミラー層３２と、表示部７，１７の少なくともいずれか一方と、ミラー層４２とが重なる領域を有し、かつ、ハーフミラー層１８２と、表示部７，１７の少なくともいずれか一方と、ミラー層４２とが重なる領域を有するように配置する。
【０１３８】
また、ハーフミラー板１８も、ハーフミラー板３、ミラー板４と同様に、平面状に限らず、上記第１の実施の形態の変形例１で説明した表示装置１Ａのミラー板８と同様の形状としてもよいし、上記第１の実施の形態の変形例２で説明した表示装置１Ｂのミラー板９と同様の形状としてもよい。
【０１３９】
また、導光板およびそれに対応する光源の組を３つ以上設け、それぞれの導光板の間にハーフミラー板を配置してもよい。この場合、各ハーフミラー層と、少なくとも１つの導光板に形成された表示部と、ミラー層４２とが重なる領域を有するように配置する。
【０１４０】
また、上述の各実施の形態およびその変形例では、ミラー板は、透明板とその一方面上の少なくとも一部に形成されたミラー層とにより構成したが、ミラー板の全面を反射面とする場合は、ステンレス製のミラー等によりミラー板を構成してもよい。
【０１４１】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。さらに、異なる実施の形態にわたる構成要素を適宜組み合せてもよい。
【図面の簡単な説明】
【０１４２】
【図１】本発明の第１の実施の形態に係る表示装置を模式的に示す斜視図である。
【図２】図１におけるＡ−Ａ断面図である。
【図３】図２における凹部周辺の部分拡大図である。
【図４】本発明の第１の実施の形態の変形例１に係る表示装置を模式的に示す斜視図である。
【図５】図４におけるＡ−Ａ断面図である。
【図６】本発明の第１の実施の形態の変形例２に係る表示装置を模式的に示す斜視図である。
【図７】図６におけるＡ−Ａ断面図である。
【図８】本発明の第２の実施の形態に係る表示装置を模式的に示す斜視図である。
【図９】図８に示す表示装置の分解斜視図である。
【図１０】図８におけるＡ−Ａ断面図である。
【図１１】本発明の第３の実施の形態に係る表示装置を模式的に示す斜視図である。
【図１２】図１１におけるＡ−Ａ断面図である。
【図１３】本発明の第３の実施の形態の変形例に係る表示装置を模式的に示す斜視図である。
【図１４】図１３におけるＡ−Ａ断面図である。
【図１５】本発明の第４の実施の形態に係る表示装置を模式的に示す斜視図である。
【図１６】図１５におけるＡ−Ａ断面図である。
【図１７】本発明の第４の実施の形態の変形例に係る表示装置を模式的に示す斜視図である。
【図１８】図１７におけるＡ−Ａ断面図である。
【符号の説明】
【０１４３】
１，１Ａ〜１Ｇ  表示装置
２，１５  導光板
３，１８  ハーフミラー板
４，８，９，１１，１２  ミラー板
５，１６  光源
６  凹部
６ａ  反射面
７，１７  表示部
３１，４１，８１，９１，１１１，１２１，１８１  透明板
１３，３２，１８２  ハーフミラー層
１４，４２，８２，９２，１１２，１２２  ミラー層
【図１】
2010002635.tif 000003
【図２】
2010002635.tif 000004
【図３】
2010002635.tif 000005
【図４】
2010002635.tif 000006
【図５】
2010002635.tif 000007
【図６】
2010002635.tif 000008
【図７】
2010002635.tif 000009
【図８】
2010002635.tif 000010
【図９】
2010002635.tif 000011
【図１０】
2010002635.tif 000012
【図１１】
2010002635.tif 000013
【図１２】
2010002635.tif 000014
【図１３】
2010002635.tif 000015
【図１４】
2010002635.tif 000016
【図１５】
2010002635.tif 000017
【図１６】
2010002635.tif 000018
【図１７】
2010002635.tif 000019
【図１８】
2010002635.tif 000020